(57)【要約】本発明は、それぞれ多数の届先区域に分割されており、これらの届先区域が、多数の連続する届先位置を備える多数の届先経路区間を有する予設定可能な届先経路に従って循環仕分けコンベヤにより配達情報を備えている仕分け物片の仕分けをするための方法に関する。
2004524971.tif 000002
【特許請求の範囲】
【請求項１】
それぞれ多数の届先区域（Ｉ〜ＶＩ，Ｉ〜ＸＩＩ）に分割されており、これらの届先区域（Ｉ〜ＶＩ，Ｉ〜ＸＩＩ）が、多数の連続する届先位置（Ａ，Ｂ，Ｃ，Ｄ，Ｅ）を備える多数の届先経路区間（Ｗ１及びＷ２，Ｗ０１〜Ｗ０４）を有する予設定可能な届先経路（Ｗ，Ｗ０）に従って循環仕分けコンベヤ（１６）により配達情報を備えている仕分け物片（２）の仕分けをするための方法において、
仕分け物片（２）が、
ａ）最大で、届先経路区間（Ｗ１及びＷ２，Ｗ０１〜Ｗ０４）の数に応じた数の、しかしながら少なくとも２つの、給送箇所（８，９）によって循環仕分けコンベヤ（１６）へと供給され、その際、２つの給送箇所（８，９）の間に、少なくとも多数の仕分け棚（１２，１４）が配設されており、
ｂ）第１の仕分けサイクルでは、届先区域（Ｉ〜ＶＩ，Ｉ〜ＸＩＩ）の１つの内部に配置された、届先位置（Ａ，Ｂ，Ｃ，Ｄ，Ｅ）の数に応じた数の連続する最大の数の仕分け棚の１つにおいて、そのそれぞれの届先位置（Ａ，Ｂ，Ｃ，Ｄ，Ｅ）に応じて、相応の仕分け棚内へと移送され、そして、
ｃ）第２の仕分けサイクルでは、このようにして仕分け棚（１２）内へと移送された仕分け物片（２）が、再び、届先位置（Ａ，Ｂ，Ｃ，Ｄ，Ｅ）の順番で給送箇所（８，９）によって仕分けコンベヤ（１６）へと供給され、届先区域（Ｉ〜ＶＩ，Ｉ〜ＸＩＩ）の数に応じた仕分け棚（１４）の数で、そのそれぞれの届先区域（Ｉ〜ＶＩ，Ｉ〜ＸＩＩ）に応じて、この届先区域（Ｉ〜ＶＩ，Ｉ〜ＸＩＩ）に応じた仕分け棚（１４）内へと移送される、
ことを特徴とする方法。
【請求項２】
仕分け物片（２）が、第１のパスの前に、届先経路区間（Ｗ１，Ｗ２）に従って予仕分けをされ、届先経路区間（Ｗ１，Ｗ２）に付属する仕分け棚（１２）の前に配置された給送箇所（８，９）から供給されることを特徴とする請求項１に記載の方法。
【請求項３】
２つの給送箇所（８，９）の間に、届先経路区間（Ｗ１，Ｗ２）のための仕分けをするために必要な数の仕分け棚（１２，１４）が配設されていることを特徴とする請求項２に記載の方法。
【請求項４】
届先経路区間（Ｗ１，Ｗ２）が、各届先経路区間（Ｗ１，Ｗ２）に、ほぼ同じ大きさの数の仕分け物片（２）が仕分けをされるように寸法設定されることを特徴とする請求項１〜３のいずれか１つに記載の方法。
【請求項５】
届先経路区間（Ｗ１，Ｗ２）内の届先位置（Ａ，Ｂ，Ｃ，Ｄ，Ｅ）及び届先区域（Ｉ〜ＶＩ）の数が、ほぼ一定であることを特徴とする請求項１〜４のいずれか１つに記載の方法。
【請求項６】
２つの給送箇所（８，９）の間に、少なくとも２つの届先経路区間（Ｗ０１，Ｗ０２）に応じた仕分け棚（１２，１４）も配設され、少なくとも２つの届先経路区間（Ｗ０１，Ｗ０２）に応じて、多数の供給コンベヤ（１０．１，１０．２）が、上方に配置された給送箇所（８）内に配設されていることを特徴とする請求項１〜５のいずれか１つに記載の方法。
【請求項７】
各供給コンベヤ（１０．１，１０．２，１０．３，１０．４）に、経路区間（Ｗ０１，Ｗ０２，Ｗ０３，Ｗ０４）の１つのためだけに予仕分けをされた仕分け物片（４．１，４．２，４．３，４．４）が供給されることを特徴とする請求項６に記載の方法。
【発明の詳細な説明】
【技術分野】
【０００１】
本発明は、それぞれ多数の届先区域に分割されており、これらの届先区域が、多数の連続する届先位置を備える多数の届先経路区間を有する予設定可能な届先経路に従って循環仕分けコンベヤにより配達情報を備えている仕分け物片の仕分けをするための方法に関する。
【背景技術】
【０００２】
特許文献１から公知であるように、例えば郵便配達人の工程順序の、予設定可能な届先経路に従って仕分け物片の仕分けをするために、各仕分け棚に送付住所が割り当てられているのではなく、仕分け棚内での発送の順番が仕分け結果に属する仕分け戦略が使用される。このため、複数の仕分け工程が、通常は、仕分けコンベヤ上で必要である。
【０００３】
仕分け物片は、唯一の給送箇所から、循環移送経路に沿って移動させられる収容要素に引き渡される。移送経路に沿って、相前後して配設された仕分け棚が存在し、これらの仕分け棚は、例えば２つの仕分けサイクルのために、仕分けに応じて届先経路に従って利用される。この場合、それぞれ個々の仕分け物片上に設けられた、その意味内容がそれぞれ１つの住所（届先位置）に対応する情報セットが検出され、仕分け物片は、検出された情報セットに依存して、その収容要素からその通過搬送の際に選択的に相応にこの情報セットのために設けられた仕分け棚に引き渡される。収容要素は、仕分け物片を引き渡した後、空で、給送箇所に至るまで元の方向へと移動させられる。従って、仕分け装置は、不十分にしか活用されない。仕分け装置の能力向上は、装置の拡大、収容要素の幅の縮小、又は循環移送装置の速度の増加でしか達成可能でない。循環移送装置の速度の増加にも、収容要素の幅の縮小にも、限界が設定されている。
【特許文献１】
独国特許出願公開第１９７  １４  １８４号明細書
【発明の開示】
【発明が解決しようとする課題】
【０００４】
従って、本発明の基本にある課題は、仕分け能力の向上の達成を可能にする方法を提供することである。
【課題を解決するための手段】
【０００５】
この課題は、冒頭で述べた様式の方法においては、本発明によれば、
仕分け物片が、
ａ）最大で、届先経路区間の数に応じた数の、しかしながら少なくとも２つの、給送箇所によって循環仕分けコンベヤへと供給され、その際、２つの給送箇所の間に、少なくとも多数の仕分け棚が配設されており、
ｂ）第１の仕分けサイクルでは、届先区域の１つの内部に配置された、届先位置の数に応じた数の連続する最大の数の仕分け棚の１つにおいて、そのそれぞれの届先位置に応じて、相応の仕分け棚内へと移送され、そして、
ｃ）第２の仕分けサイクルでは、このようにして仕分け棚内へと移送された仕分け物片が、再び、届先位置の順番で給送箇所によって仕分けコンベヤへと供給され、届先区域の数に応じた仕分け棚の数で、そのそれぞれの届先区域に応じて、この届先区域に応じた仕分け棚内へと移送される、
ことによって解決される。
【０００６】
本発明の別の有利な形態は、従属請求項の特徴から得られる。
【０００７】
冒頭で述べた様式の前記の方法によれば、以下の利点を得ることができる。
即ち
ｉ）循環仕分けコンベヤの速度の増加及び収容要素の幅の縮小をすることのない仕分け能力の向上、
ｉｉ）仕分けコンベヤのための場所の要求が同じままで、付加的な装置の調達と比べてより僅かな投資コストしかかからないということを意味する、同じ大きさの装置における仕分け能力の向上、そして、
ｉｉｉ）仕分け棚の数の増加が不必要、
である。
【発明を実施するための最良の形態】
【０００８】
本発明を、以下で、図面を基にして例示的に詳細に説明する。
【０００９】
本発明による方法は、以下では、配達情報を備えている平坦な仕分け物片２のための仕分けコンベヤの例において説明され、この例では、仕分け物片２は、予設定可能な届先経路Ｗに従って、２つの仕分けサイクルで仕分けされる。
【００１０】
図１は、概略図に、２つの仕分けサイクルを有する仕分け方法を示す。この場合、届先経路Ｗと呼ばれる予設定可能な配達経路は、多数の届先経路区間Ｗ１，Ｗ２に分割される。届先経路区間Ｗ１，Ｗ２は、更にまた、届先区域Ｉ，ＩＩ，ＩＩＩ，ＩＶ，Ｖ，ＶＩに分割されている。各届先区域Ｉ，ＩＩ，ＩＩＩ，ＩＶ，Ｖ，ＶＩは、多数の連続する届先位置Ａ〜Ｅを備え、これらの届先位置は、ここでは仕分け物片２に対する配達住所に相当する。この場合、それぞれの届先区域Ｉ，ＩＩ，ＩＩＩ，ＩＶ，Ｖ，ＶＩの各届先位置Ａ〜Ｅのための各仕分けをする場合には、仕分け物片２が存在しない。図１に示された仕分けでは、それぞれの届先区域Ｉ．ＩＩ，ＩＩＩ，ＩＶ，Ｖ，ＶＩの届先位置Ａ〜Ｅだけが図示されており、これらの届先位置のために、仕分け物片２が存在する。多数の仕分け物片２は、但し、これらの仕分け物片は、これらの仕分け物片のために設けられた届先経路Ｗの順番に応じて仕分けされるべきであるが、仕分け物集積部４から、個々の仕分け物片２上に存在する配達情報を検出するために使用されるその前に接続される読取装置６を有する給送箇所８，９を介して、循環仕分けコンベヤ１６に引き渡される。検出された配達情報に依存して、仕分け物片２は、循環仕分けコンベヤ１６から、選択的に仕分け区間に沿って相前後して配設された仕分け棚１２の１つに引き渡され、このようにして２段階の方法で、郵便配達人又は小包配達人のための配達経路により仕分けをされる。
【００１１】
第１の仕分けサイクルでは、仕分け物片２が、届先位置Ａ〜Ｅに従って仕分けをされる。この場合、仕分け物片２は、既に、この配達経路Ｗのために設けられた仕分け物片２だけが仕分けコンベヤ１６へと供給される点に限って予仕分けをされている。不完全に予仕分けをされた仕分け物片２は、適当な方法でより分けられ、これは、給送箇所８，９の一方においてであろうと、又は仕分け試験が行なわれた後であろうと行なわれる。この後、仕分け物片２は、仕分け棚１２から取り出され、再び給送箇所８，９に引き渡される。この場合、第１及び第２の届先経路区間Ｗ１，Ｗ２の仕分け棚１２の仕分け物片２は、それぞれまとめられ、給送箇所８もしくは９に引き渡され、この給送箇所は、それぞれの届先経路区間Ｗ１もしくはＷ２の前に配置されている。
【００１２】
第２の仕分けサイクルでは、仕分けが、それぞれの届先区域Ｉ，ＩＩ，ＩＩＩ，ＩＶ，Ｖ，ＶＩ内の配達住所の順番に従って行なわれる。仕分け物片２は、仕分け棚１４から取り出され、その予設定された配達経路Ｗの届先位置Ａ〜Ｅに応じて仕分けをされている。
【００１３】
図２及び３は、本発明による方法の２つの変形例を、２つの給送箇所８，９を有する循環仕分けコンベヤ１６の例において示す。届先経路Ｗは、２つの届先経路区間Ｗ１，Ｗ２に分割されている。両方の給送箇所８，９の間には、届先経路区間Ｗ１，Ｗ２に相当する仕分け棚１２が配設されている。
【００１４】
図２に示された変形例では、仕分け物片２が、全届先経路Ｗのために、第１及び第２の給送箇所８，９において循環仕分けコンベヤ１６へと供給される。
【００１５】
第１の仕分けサイクルでは、仕分け物片２が、その届先位置Ａ〜Ｅ及びその届先経路区間Ｗ１，Ｗ２に応じて、届先区域Ｉ，ＩＩ，ＩＩＩ，ＩＶ，Ｖ，ＶＩに依存せずに仕分け棚１２内へと移送される。仕分け棚１２の数は、届先経路区間Ｗ１もしくはＷ２の届先区域Ｉ〜ＩＩＩもしくはＩＶ〜ＶＩ内の届先位置Ａ〜Ｅにおける最大の数に相当する。これにより、例えば、給送箇所８の後に配設されている第１の仕分け棚内には、届先経路区間Ｗ１の全ての届先区域Ｉ〜ＩＩＩ内で第１の位置を構成する全ての仕分け物片２が存在する。これらの仕分け物片は、それぞれの届先区域Ｉ，ＩＩ，ＩＩＩを、第１の位置と呼ばれる。相応に、第２の仕分け棚内には、届先経路区間Ｗ１の全ての届先区域Ｉ〜ＩＩＩ内で第２の位置を構成し、それぞれ第２の位置と呼ばれる全ての仕分け物片２が存在する、等々である。
【００１６】
図２に示された本発明による方法の変形例では、仕分け物片２が、第１の給送箇所８から、第１の届先経路区間Ｗ１の仕分け棚１２にも、第２の届先経路区間Ｗ２の仕分け棚１２にも、引き渡される。これにより、循環仕分けコンベヤ１６の収容要素の一部分だけが、第２の給送箇所９からの新しい仕分け物片２の収容のために使用可能である。これにより、仕分け物片２を届先経路区間Ｗ２のために受け取った、給送箇所８の作用を受ける収容要素は、新しい仕分け物片２の収容のために、第２の給送箇所９において未だ配置されており、逆に、相応に、これは第２の給送箇所９にも当て嵌まる。
【００１７】
図２に示された変形例の第２の仕分けサイクルでは、第１の届先経路区間Ｗ１の仕分け物片２と第２の届先経路区間Ｗ２の仕分け物片２とがまとめられ、それぞれの届先経路区間Ｗ１，Ｗ２の前に配置された給送箇所８，９に移送される。第１の仕分けサイクルにおいて仕分け棚１２内へと移送された仕分け物片２は、このようにして新しくされ、届先位置Ａ〜Ｅの順番で循環仕分けコンベヤ１６へと供給され得る。ここでは、届先区域Ｉ〜ＶＩの数に応じた数の仕分け棚１４が必要である。仕分け物片２は、今ではそのそれぞれの届先区域Ｉ〜ＶＩに応じて、また届先経路区間Ｗ１、Ｗ２に応じて仕分けをされ、郵便配達人のためにその配達経路により仕分けをされている。
【００１８】
図２とは違って、図３に図示された変形例では、仕分け物片２が、第１の届先経路区間Ｗ１のために設けられた仕分け物片２が、第１の給送箇所８からだけ、また第２の届先経路区間Ｗ２のために設定されている仕分け物片２が、第２の給送箇所９からだけ供給される点に限って予仕分けをされて供給される。
【００１９】
第２の仕分けサイクルでの仕分けの原理の進行は、先行的に図１に対して説明した仕分け方法に対応する。
【００２０】
図３に示された変形例では、第１の給送箇所８から循環仕分けコンベヤ１６に引き渡される全ての仕分け物片２が第１の届先経路区間Ｗ１の仕分け棚１２に、また第２の給送箇所９から循環仕分けコンベヤ１６に引き渡される全ての仕分け物片２が第２の届先経路区間Ｗ２の仕分け棚１２に、引き渡される。
【００２１】
従って、第１の給送箇所８から循環仕分けコンベヤ１６に引き渡された全ての仕分け物片２は、届先経路区間Ｗ１のための仕分け棚を通過した後、仕分け棚に引き渡されている。仕分け物片２を収容するための収容要素は、第２の給送箇所９の仕分け物片２を収容するために解放されている。届先経路区間Ｗ１、Ｗ２に応じた仕分け物片２の予仕分けは、本発明による方法のこの変形例のための前提であり、しかしながら、これは、既に一定の配達経路Ｗに対する仕分け物片２の仕分けをする際に行なうことができる。
【００２２】
この変形例の場合、仕分け装置の仕分け能力が、比較的最適に利用される。図２に示された変形例では、これに対して比較的僅かな仕分け深度で作業され得る。即ち、仕分け物片２は、届先経路Ｗのためにだけ仕分けをされなければならず、個々の届先経路区間Ｗ１，Ｗ２のためにではない。
【００２３】
給送箇所８，９の給送能力は、制限されている。給送箇所８，９の給送効率及びこれにより仕分け装置の仕分け能力は、給送箇所８もしくは９において複数の供給コンベヤ１０．１，１０．２もしくは１０．３，１０．４を使用することによって向上され得る。しかしながら、第２の仕分けサイクルのために例えば共通の仕分け物集積部４の給送箇所８もしくは９の２つの供給コンベヤ１０．１，１０．２もしくは１０．３，１０．４から仕分け物片２を給送することは、第１の仕分けサイクルにおいて仕分けをされた届先位置Ａ〜Ｅの順番の変更に通じてしまう。例えば、仕分けコンベヤ１６の移送方向で前に配置された両方の供給コンベヤ１０．１，１０．２の供給コンベヤ１０．１は、更に、届先位置Ａを有する仕分け物片２を移送するのに対し、第２の供給コンベヤ１０．２は、届先位置Ｂを有する仕分け物片２を移送する。届先位置Ｂの仕分け物片２は、届先位置Ａの仕分け物片２の前に達する。これにより、仕分け物片２の順番は、その届先位置Ａ〜Ｅに応じて変更されている。図３に図示された第２の仕分けサイクルのための本発明による方法の変形例と、図２に図示された第１の仕分けサイクルのための本発明による方法の変形例を組合せた場合、この問題は解決され、仕分け装置の能力は、給送箇所８，９の給送効率を向上させることによって更に最適に活用される。
【００２４】
図２及び３に示された変形例の組合せは、図４ａ及び４ｂに図示されている。
【００２５】
図４ａ及び４ｂは、それぞれ２つの供給コンベヤ１０．１，１０．２もしくは１０．３，１０．４を備える２つの給送箇所８，９を有する循環仕分けコンベヤ１６の本発明による方法の応用例を示すが、この応用例では、届先経路Ｗ０が、４つの届先経路区間Ｗ０１，Ｗ０２，Ｗ０３，Ｗ０４に分割されている。届先経路区間Ｗ０１，Ｗ０２，Ｗ０３，Ｗ０４の数は、確かに、給送箇所８，９の数の２倍の多さであるが、しかしながら、これらの届先経路区間は、供給コンベヤ１０．１，１０．２，１０．３，１０．４の数に相当する。
【００２６】
図４ａには、概略的に第１の仕分けサイクルが、図４ｂには、第２の仕分けサイクルが図示されている。各供給コンベヤ１０．１，１０．２，１０．３，１０．４には、届先経路区間Ｗ０１，Ｗ０２，Ｗ０３，Ｗ０４が割り当てられている。
【００２７】
仕分け物片２は、第１の仕分けサイクルのための図４ａに示されているように、全届先経路Ｗ０のために、両方の給送箇所８，９から、及びこれにより４つの供給コンベヤ１０．１，１０．２，１０．３，１０．４から、循環仕分けコンベヤ１６へと供給され、その届先位置Ａ〜Ｅ及びその届先経路区間Ｗ０１，Ｗ０２，Ｗ０３，Ｗ０４に応じて、届先区域Ｉ〜ＸＩＩに依存せずに相応の仕分け棚１２内へと移送される。仕分け棚１２の数は、少なくとも届先経路区間Ｗ０１，Ｗ０２，Ｗ０３，Ｗ０４の届先区域Ｉ〜ＸＩＩ内の届先位置Ａ〜Ｅの最大の数に相当する。
【００２８】
第１の仕分けサイクルが行なわれた後、このようにして仕分け棚１２内へと移送されたそれぞれの届先経路区間Ｗ０１，Ｗ０２，Ｗ０３，Ｗ０４の仕分け物片２は、届先位置Ａ〜Ｅの順番でまとめられ、相応の供給コンベヤ１０．１，１０．２，１０．３，１０．４に移送される。第２の仕分けサイクルのために、仕分け物片２は、それぞれの仕分け物集積部４．１，４．２，４．３，４．４から新しく循環仕分けコンベヤ１６へと供給される。仕分け物片２は、届先区域Ｉ〜ＸＩＩの数に応じた数の仕分け棚１４内へと、そのそれぞれの届先区域Ｉ〜ＸＩＩに応じて仕分けされる。相応の届先経路区間Ｗ０１〜Ｗ０４は、既に、第１の仕分けサイクルにおける相応の仕分けによって確定されている。この第２の仕分けサイクルの概略図を、図４ｂが示す。
【００２９】
仕分け棚１２，１４をできるだけ一様に活用できるようにするため、例えば届先区域Ｘは、２つの届先位置Ａ及びＢ、例えば２つの相並んで位置する多世帯家屋だけを備える。相応に、届先区域ＸＩの届先位置Ａ〜Ｅは、配達経路Ｗに沿って配置された５つの単世帯家屋であり得る。この割振りは、純粋に統計的に、各届先区域におけるこの分割において、ほぼ等しい郵便量が生じるという経験に根底がある。ほぼこのような経験を基盤にして、届先経路区間Ｗ０１〜Ｗ０４における割振りが行なわれ、従って、仕分けコンベヤ１６は、できるだけ一様に仕分け量に関して仕分け経路に沿って利用される。
【図面の簡単な説明】
【００３０】
【図１】２つの仕分けサイクルを有する仕分けの方法原理を、概略図に示す。
【図２】概略図に、届先経路が２つの届先経路区間に分割されている第１の循環仕分けコンベヤを示す。
【図３】概略図に、届先経路が２つの届先経路区間に分割されており、第１の届先経路区間のための仕分け物片が、第１の給送箇所から、また第２の届先経路区間のための仕分け物片が、第２の給送箇所から供給される循環仕分けコンベヤを示す。
【図４ａ】２つの給送箇所を有する図２による循環仕分けコンベヤの第１の仕分けサイクルを示す。
【図４ｂ】２つの給送箇所を有する図３による循環仕分けコンベヤの第２の仕分けサイクルを示す。
【符号の説明】
【００３１】
２                    仕分け物片
４                    仕分け物集積部
４．１                第１の仕分け物集積部
４．２                第２の仕分け物集積部
４．３                第３の仕分け物集積部
４．４                第４の仕分け物集積部
６                    読取装置
８，９                給送箇所
１０                  供給コンベヤ
１０．１              第１の供給コンベヤ
１０．２              第２の供給コンベヤ
１０．３              第３の供給コンベヤ
１０．４              第４の供給コンベヤ
１２                  第１の仕分けサイクルに従った仕分け物片を有する仕分け棚
１４                  第２の仕分けサイクルに従った仕分け物片を有する仕分け棚
１６                  循環仕分けコンベヤ
Ａ，Ｂ，Ｃ，Ｄ，Ｅ    届先位置
Ｗ，Ｗ０              届先経路
Ｗ１，Ｗ２            届先経路区間
Ｗ０１〜Ｗ０２        届先経路区間
Ｉ〜ＸＩＩ            届先区域
【国際公開パンフレット】
2004524971.tif 000003
2004524971.tif 000004
2004524971.tif 000005
2004524971.tif 000006
2004524971.tif 000007
2004524971.tif 000008
2004524971.tif 000009
2004524971.tif 000010
2004524971.tif 000011
2004524971.tif 000012
2004524971.tif 000013
2004524971.tif 000014
2004524971.tif 000015
2004524971.tif 000016
2004524971.tif 000017
2004524971.tif 000018
2004524971.tif 000019
2004524971.tif 000020
2004524971.tif 000021
2004524971.tif 000022
2004524971.tif 000023
2004524971.tif 000024
【国際調査報告】
2004524971.tif 000025
2004524971.tif 000026
2004524971.tif 000027
2004524971.tif 000028
2004524971.tif 000029